(57)【要約】【課題】  ユーザが出かける際に物品の有無を確認でき、雨の日や紫外線の強い日には傘を忘れずに準備できる忘れ物防止システムを提供する。【解決手段】  入出力端末は、ユーザによって、少なくとも１以上の物品を示す情報である物品情報と、検索結果の情報を受信する希望時間を示す検索結果情報受信希望時間とが設定されると、物品情報と検索結果情報受信希望時間とを併せた、設定情報を管理端末へ送信し、管理端末は、入出力端末から受信した検索結果情報受信希望時間にもとづき、入出力端末から受信した物品情報と、ＩＣタグ集計装置から受信したＩＣタグ集計情報とを照合し、照合結果を検索結果情報として入出力端末へ送信し、入出力端末は、管理端末から検索結果情報を受信して、検索結果情報を画面に表示する。【選択図】  図１
2005309831.tif 000002
【特許請求の範囲】
【請求項１】
ユーザによって使用される入出力端末と、
物品を識別するためのＩＣタグ情報を常時発信するＩＣタグが貼り付けられた、少なくとも１以上のＩＣタグ付きの物品と、
前記ＩＣタグ付きの物品からＩＣタグ情報を常時受信し、集計するＩＣタグ集計装置と、
前記ＩＣタグ集計装置からＩＣタグ集計情報を受信し、また、前記入出力端末から設定情報を受信する管理端末と、を有し、
入出力端末及び管理端末がプログラム制御により動作し、ネットワークを介して相互に接続される忘れ物防止システムであって、
前記入出力端末は、前記ユーザによって、少なくとも１以上の物品を示す情報である物品情報と、検索結果の情報を受信する希望時間を示す検索結果情報受信希望時間とが設定されると、該物品情報と該検索結果情報受信希望時間とを併せた、前記設定情報を前記管理端末へ送信し、
前記管理端末は、前記入出力端末から受信した前記検索結果情報受信希望時間にもとづき、前記入出力端末から受信した前記物品情報と、前記ＩＣタグ集計装置から受信した前記ＩＣタグ集計情報とを照合し、照合結果を検索結果情報として前記入出力端末へ送信し、
前記入出力端末は、前記管理端末から前記検索結果情報を受信して、該検索結果情報を画面に表示することを特徴とする忘れ物防止システム。
【請求項２】
前記管理端末は、
前記入出力端末から受信した前記設定情報と、前記ＩＣタグ集計装置から受信した前記ＩＣタグ集計情報とを記憶する記憶部と、
前記設定情報と前記ＩＣタグ集計情報とを照合することによって前記物品の検索を行い、検索結果を検索結果情報として前記入出力端末へ送信する処理部と、
前記入出力端末又は前記ＩＣタグ集計装置と無線通信する無線受信部と、
を有することを特徴とする請求項１記載の忘れ物防止システム。
【請求項３】
前記ＩＣタグ集計装置は、前記ユーザが前記少なくとも１以上のＩＣタグ付きの物品を携帯するために使用する入れ物に設置されることを特徴とする請求項１又は２記載の忘れ物防止システム。
【請求項４】
前記ＩＣタグ集計装置は、前記ＩＣタグ集計情報に変更がある毎に、前記ＩＣタグ集計情報を前記管理端末へ送信することを特徴とする請求項１から３のいずれか１項に記載の忘れ物防止システム。
【請求項５】
前記管理端末は、前記入出力端末から受信した前記設定情報に含まれる検索結果情報受信希望時間の数分前に、所定のプロバイダへ接続し、天気予報の情報を取得し、天気予報が雨の時、又は紫外線が強い時は、前記設定情報に含まれる前記物品情報に傘を追加することを特徴とする請求項１から４のいずれか１項に記載の忘れ物防止システム。
【請求項６】
前記入出力端末は、携帯端末装置であることを特徴とする請求項１から５のいずれか１項に記載の忘れ物防止システム。
【請求項７】
前記管理端末は、パーソナルコンピュータ又はワークステーション・サーバのいずれか一方であることを特徴とする請求項１から６のいずれか１項に記載の忘れ物防止システム。
【発明の詳細な説明】
【技術分野】
【０００１】
本発明は、携帯必須の物品を事前に登録しておき、鞄などの入れ物の中に登録物品があるか否かを自動的に検出することによって、ユーザが出かける際に物品の有無を確認でき、雨の日や紫外線の強い日には傘を忘れずに準備できる忘れ物防止システムに関する。
【背景技術】
【０００２】
従来、我々は出かける際に忘れ物がないかどうかを目視で確認したり、携帯したかどうかを記憶に頼ったりしていたため、つい忘れ物をしてしまうという問題があった。また、天気予報の確認を忘れると、雨の日などに傘を忘れてしまう問題があった。
【０００３】
従来技術例として、傘等の物品対象物を監視し、ある距離を離れると警報を発するものがある（例えば、特許文献１及び２参照）。また、天気予報に応じてユーザに対し行動指示を行うものがある（例えば、特許文献３参照）。また、携帯電話機にＩＣタグ検知装置を有し、ＩＣタグを付けた物品を検知するものがある（例えば、特許文献４参照）。
【特許文献１】特開２００２−１５３３０８号公報
【特許文献２】特開２００３−３４６２５４号公報
【特許文献３】特開２００３−２１６７５２号公報
【特許文献４】特開２００４−１３７８９号公報
【発明の開示】
【発明が解決しようとする課題】
【０００４】
しかしながら、上記特許文献１は、忘れ物検知の対象物を傘のみとしており、その他の物品に対して汎用性がない。また、特許文献２及び４記載の発明は、ある特定の入れ物の中において、携帯する物品が揃っているかどうかを検知するものではない。また、特許文献３記載の発明は、天気に応じた行動指示を目的とするものであり、対象物品を携帯しているかどうかを報知するものではない。
【０００５】
本発明は、上記事情に鑑みてなされたものであり、ユーザが事前に持ち歩く物品を登録しておき、鞄などの入れ物の中に登録された物品があるか否かを自動的に検出し、欠品している物があればその情報をユーザの端末へ送信し、ユーザが忘れ物を確認でき、また、天気予報が雨の時や紫外線の強い時には、傘を持ち歩く物品として追加登録し、ユーザに傘を携帯するように通知する忘れ物防止システムを提供することを目的とする。
【課題を解決するための手段】
【０００６】
かかる目的を達成するために、本発明は、ユーザによって使用される入出力端末と、物品を識別するためのＩＣタグ情報を常時発信するＩＣタグが貼り付けられた、少なくとも１以上のＩＣタグ付きの物品と、ＩＣタグ付きの物品からＩＣタグ情報を常時受信し、集計するＩＣタグ集計装置と、ＩＣタグ集計装置からＩＣタグ集計情報を受信し、また、入出力端末から設定情報を受信する管理端末と、を有し、入出力端末及び管理端末がプログラム制御により動作し、ネットワークを介して相互に接続される忘れ物防止システムであって、入出力端末は、ユーザによって、少なくとも１以上の物品を示す情報である物品情報と、検索結果の情報を受信する希望時間を示す検索結果情報受信希望時間とが設定されると、物品情報と検索結果情報受信希望時間とを併せた、設定情報を管理端末へ送信し、管理端末は、入出力端末から受信した検索結果情報受信希望時間にもとづき、入出力端末から受信した物品情報と、ＩＣタグ集計装置から受信したＩＣタグ集計情報とを照合し、照合結果を検索結果情報として入出力端末へ送信し、入出力端末は、管理端末から検索結果情報を受信して、検索結果情報を画面に表示することを特徴とする。
【０００７】
また、本発明は、管理端末は、入出力端末から受信した設定情報と、ＩＣタグ集計装置から受信したＩＣタグ集計情報とを記憶する記憶部と、設定情報とＩＣタグ集計情報とを照合することによって物品の検索を行い、検索結果を検索結果情報として入出力端末へ送信する処理部と、入出力端末又はＩＣタグ集計装置と無線通信する無線受信部と、を有することを特徴とする。
【０００８】
また、本発明は、ＩＣタグ集計装置は、ユーザが少なくとも１以上のＩＣタグ付きの物品を携帯するために使用する入れ物に設置されることを特徴とする。
【０００９】
また、本発明は、ＩＣタグ集計装置は、ＩＣタグ集計情報に変更がある毎に、ＩＣタグ集計情報を管理端末へ送信することを特徴とする。
【００１０】
また、本発明は、管理端末は、入出力端末から受信した設定情報に含まれる検索結果情報受信希望時間の数分前に、所定のプロバイダへ接続し、天気予報の情報を取得し、天気予報が雨の時、又は紫外線が強い時は、設定情報に含まれる物品情報に傘を追加することを特徴とする。
【００１１】
また、本発明は、入出力端末は、携帯端末装置であることを特徴とする。
【００１２】
また、本発明は、管理端末は、パーソナルコンピュータ又はワークステーション・サーバのいずれか一方であることを特徴とする。
【発明の効果】
【００１３】
本発明によれば、ユーザは忘れ物をせずに、また、天気によって傘を持って行動できる。よって、第１の効果は、忘れ物がないかどうか、鞄などの入れ物の中を目視で確認する手間が省ける。第２の効果は、天気予報を見なくても、傘が必要な時には傘を持って出かけることができる。
【発明を実施するための最良の形態】
【００１４】
以下、本発明を実施するための最良の形態について添付図面を参照して詳細に説明する。
【００１５】
まず、本発明の実施例の構成について説明する。
図１を参照すると、本実施例は、入出力端末１０と、管理端末２０と、ＩＣタグ集計装置３０と、ＩＣタグ付きの物品４０とから構成されている。入出力端末１０と、管理端末２０はプログラム制御により動作し、インターネット等のネットワーク１００を介して相互に接続されている。
【００１６】
入出力端末１０は、パーソナルコンピュータ等の情報処理装置、又は携帯電話等の携帯端末である。ユーザの操作により、必要な物品（ユーザが出かける際に携帯を必要とする物品）についての情報等についてネットワーク１００を介し、管理端末２０へ送信する機能を備えている。また、管理端末２０から送信された、必要な物品の有無についての情報を画面に表示する機能を備えている。
【００１７】
管理端末２０は、パーソナルコンピュータ等やワークステーション・サーバ等の情報処理装置である。図２に示すように、管理端末２０は、処理部２０１と、データベース２０２と、無線受信部２０３を有している。
【００１８】
処理部２０１は、データベース２０２へ各種情報を記憶したり、照合したりする。また、照合の結果についてインターネット等のネットワーク１００を介して入出力端末１０へ送信する機能を備えている。
【００１９】
データベース２０２は、図６に示すように、ＩＣタグの識別情報と物品名の情報が登録されており、処理部２０１によって、入出力端末１０から受信した物品情報等と、ＩＣタグ集計装置３０から受信したＩＣタグ集計情報とを記憶・照合する機能を備えている。
【００２０】
無線受信部２０３は、入出力端末１０又はＩＣタグ集計装置３０から無線受信する機能を備えている。
【００２１】
ＩＣタグ集計装置３０は、鞄等入れ物に設置されており、ＩＣタグ付きの物品４０から無線電波を受信して集計する機能を備えている。また、その集計した情報を管理端末２０へ無線電波等で送信する機能を備えている。
【００２２】
ＩＣタグ付きの物品４０は、鞄等の入れ物の中に入れる物品すべてに物品を識別するためのユニークな情報を持つＩＣタグが貼り付けられてあり、微弱な発信機能を備えている。
【００２３】
次に、図１〜図５を参照して本実施例の動作について詳細に説明する。
まず、図３を参照すると、ＩＣタグ付きの物品４０は、貼り付けられたＩＣタグから無線電波として、ＩＣタグ情報をＩＣタグ集計装置３０へ常時発信している（ステップＡ１）。ＩＣタグ集計装置３０は、ＩＣタグ情報を常時受信している（ステップＡ２）。
【００２４】
また、ＩＣタグ集計装置３０は、受信したＩＣタグ情報を集計し、ＩＣタグ集計情報に変更がある毎に、集計したＩＣタグ集計情報を管理端末２０へ送信する（ステップＡ３）。管理端末２０は、ＩＣタグ集計装置３０からＩＣタグ集計情報を受信すると、記憶手段であるデータベース２０２にＩＣタグ集計情報を記憶する（ステップＡ４）。
【００２５】
入出力端末１０は、ユーザによって必要な物品についての情報である物品情報と、物品が鞄等の入れ物にあるかどうかの検索結果を受信する希望時間である検索結果情報受信希望時間とを設定されると、それら２つの情報を併せた設定情報を管理端末２０へ送信する（ステップＡ５）。ここで、ユーザは、例えば、図４の入力端末画面の一例に示すように、必要な物品の項目において物品名前の□印（マス印）をクリックすることによりレ印をつける。同様に検索結果の受信希望時間の項目において、希望の□印をクリックすることによりレ印をつける。最後に、「送信」をクリックして管理端末２０へ送信する。
【００２６】
管理端末２０は、入出力端末１０から設定情報を受信すると、その設定情報をデータベース２０２に記憶する（ステップＡ６）。また、管理端末２０は、入出力端末１０から受信した設定情報の検索結果情報受信希望時間の数分前に、予め定められた所定のプロバイダへ接続し、天気予報の情報を取得する（ステップ７）。そして、天気予報が雨の時、又は紫外線が強い時は、入出力端末１０から受信した設定情報の物品情報に、必要な物品として傘を追加する（ステップＡ８）。
【００２７】
その後、管理端末２０は、入出力端末１０から受信した検索結果情報受信希望時間にもとづき、入出力端末１０から受信した、必要な物品の物品情報と、ＩＣタグ集計装置３０から受信した、ＩＣタグ集計情報とを照合し、照合結果を検索結果情報として入出力端末１０へ送信する（ステップＡ９）。
【００２８】
入出力端末１０は、管理端末２０から検索結果情報を受信して、その検索結果情報を画面に表示する（ステップ１０）。ここで、入出力端末１０は、例えば図５に示すように、照合結果が一致した場合と、一致しなかった場合とで２種類の結果を表示する。
【００２９】
以上のように、本実施例によれば、ユーザは忘れ物をせずに、また、天気によって傘を持って行動できる。よって、第１の効果は、忘れ物がないかどうか、鞄などの入れ物の中を目視で確認する手間が省ける。第２の効果は、天気予報を見なくても、傘が必要な時には傘を持って出かけることができる。
【００３０】
以上、本発明の実施例について説明したが、上記実施例に限定されるものではなく、その要旨を逸脱しない範囲において種々の変形が可能である。
【図面の簡単な説明】
【００３１】
【図１】本発明の実施例の構成を示すブロック図である。
【図２】本発明の実施例に係る管理端末の構成を示すブロック図である。
【図３】本発明の実施例の処理動作を示すシーケンス図である。
【図４】本発明の実施例に係る入出力端末の表示画面の一例を示す図である。
【図５】本発明の実施例に係る入出力端末の表示画面の一例を示す図である。
【図６】本発明の実施例に係るデータベースの保持情報の一例を示す図である。
【符号の説明】
【００３２】
１０    入出力端末
２０    管理端末
３０    ＩＣタグ集計装置
４０    ＩＣタグ付きの物品
１００    ネットワーク
２０１    処理部
２０２    データベース
２０３    無線受信部
【図１】
2005309831.tif 000003
【図２】
2005309831.tif 000004
【図３】
2005309831.tif 000005
【図４】
2005309831.tif 000006
【図５】
2005309831.tif 000007
【図６】
2005309831.tif 000008